(57)【要約】自由端にヘッド本体（５）が取り付けられた支持材（６）の情報記録媒体側に第１の昇降部（２１）が、支持材（６）の情報記録媒体とは反対側であって、且つ、第１の昇降部（２１）よりも固定端側に第２の昇降部（２２）が、それぞれ配される。第１の昇降部（２１）が情報記録媒体（１）から遠ざかる方向に移動して支持材（６）の下面に当接して、ヘッド本体（５）を持ち上げる過程において、第２の昇降部（２２）が支持材（６）の弾性部（１０）の上面に当接する。第２の昇降部（２２）と弾性部（１０）との当接部分を回動中心としてヘッド本体（５）が移動するので、ヘッド本体（５）を所定高さまで持ち上げるのに必要な第１の昇降部（２１）の移動量をより小さくすることができる。よって、ヘッド本体（５）を持ち上げた時の磁気ヘッド（４）の情報記録媒体（１）からの最大高さを小さくすることができる。従って、情報記録再生装置を薄型にできる。
2003060901.tif 000002
【特許請求の範囲】
【請求項１】
一端を固定端とし、他端を自由端として片持ち支持され、前記固定端と前記自由端との間に弾性部を備える支持材と、前記支持材の前記自由端に取り付けられたヘッド本体とを備え、前記ヘッド本体が情報記録媒体に近接又は接触して記録又は再生を行う第１の位置と、前記ヘッド本体が前記情報記録媒体から遠ざかる第２の位置とを有する磁気ヘッドと、
前記支持材に対して前記情報記録媒体側に配された第１の昇降部と、
前記支持材に対して前記情報記録媒体とは反対側であって、且つ、前記第１の昇降部よりも前記固定端側に配された第２の昇降部とを備え、
前記第１の昇降部が前記情報記録媒体から遠ざかる方向に移動して前記支持材の前記情報記録媒体側の面に当接して、前記ヘッド本体を前記第１の位置から前記第２の位置へ移動させる過程において、前記第２の昇降部が前記支持材の前記弾性部の前記情報記録媒体とは反対側の面に当接することを特徴とする磁気ヘッド装置。
【請求項２】
前記第１の昇降部が前記情報記録媒体から遠ざかる方向に移動する過程において、前記第２の昇降部が前記情報記録媒体に近づく方向に移動する請求項１に記載の磁気ヘッド装置。
【請求項３】
一端を固定端とし、他端を自由端として片持ち支持され、前記固定端と前記自由端との間に弾性部を備える支持材と、前記支持材の前記自由端に取り付けられたヘッド本体とを備え、前記ヘッド本体が情報記録媒体に近接又は接触して記録又は再生を行う第１の位置と、前記ヘッド本体が前記情報記録媒体から遠ざかる第２の位置とを有する磁気ヘッドと、
前記支持材に対して前記情報記録媒体側に配された第１の昇降部と、
前記支持材に対して前記情報記録媒体とは反対側であって、且つ、前記第１の昇降部よりも前記固定端側に配された第２の昇降部とを備え、
前記第１の昇降部が前記磁気ヘッドの長手方向の沿って移動して前記支持材の前記情報記録媒体側の面に当接して、前記ヘッド本体を前記第１の位置から前記第２の位置へ移動させる過程において、前記第２の昇降部が前記支持材の前記弾性部の前記情報記録媒体とは反対側の面に当接することを特徴とする磁気ヘッド装置。
【請求項４】
前記第１の昇降部と前記第２の昇降部とが共通する部材に備えられている請求項１又は３に記載の磁気ヘッド装置。
【請求項５】
前記第２の昇降部の前記支持材と対峙する面が前記支持材側に凸の曲面である請求項１又は３に記載の磁気ヘッド装置。
【発明の詳細な説明】
技術分野
本発明は磁気ヘッド装置に関するものであり、詳しくは情報記録再生装置の薄型化を可能とする磁気ヘッド装置に関するものである。
背景技術
光磁気記録再生装置は、ディスク回転駆動機構によって回転操作される情報記録媒体である光磁気ディスクの一方の面側に、情報記録媒体の光磁気記録層に照射される光ビームを出射する光学ヘッドを備え、光磁気ディスクの他方の面側に、光磁気記録層に外部磁界を印加する磁気ヘッドを前記光学ヘッドと対向して備えている。光磁気記録再生装置は、回転操作される光磁気ディスクの光磁気記録層に、磁気ヘッドから記録すべき情報信号に応じて磁界の向きが変調された磁界を印加するとともに、光学ヘッドから出射される光ビームを集光して照射する。
この光ビーム照射によって、キュリー温度以上に加熱されて保磁力を消失した部分が、磁気ヘッドから印加される磁界の方向に応じて磁化された後、光磁気ディスクの回転による光ビームの相対移動によってキュリー温度以下に低下し、この磁化の方向が固定されることによって情報信号の記録が行われる。
光磁気ディスクは回転操作されるので面振れを生じ易い。このため磁気ヘッドでは光磁気ディスクの面振れ方向に揺動可能な片持ち支持された支持材の自由端にヘッド本体が取り付けられている。このヘッド本体は、磁界印加部分が装着され、且つ、光磁気ディスクと接触摺動または光磁気ディスクと微少な距離を保って浮上するスライダから構成される。
磁気ヘッド装置は、スライダが光磁気ディスクに対して接触摺動又は浮上するなどして互いに近接し記録状態となる第１の位置と、磁気ヘッド装置の磁気ヘッド昇降装置により支持材の自由端とヘッド本体とが光磁気ディスクから離間し、再生状態となる第２の位置とを採る。
従来の磁気ヘッド装置は、例えば特開平１０−８０２８８２号公報（特願平１０−５０５８４７号）に記載されている。
以下図１０〜図１３を用いて従来の磁気ヘッド装置について説明する。図１０は従来の磁気ヘッド装置の一例の平面図である。図示したように、光磁気ディスク１の半径方向をＸ軸、接線方向をＹ軸、法線方向をＺ軸とするＸＹＺ３次元直交座標系を設定する。図１１は図１０に示した磁気ヘッド装置の第１の位置（記録状態）でのＳ−Ｓ線での矢印方向から見た側面断面図である。図１２は図１０に示した磁気ヘッド装置の第２の位置（再生状態）でのＳ−Ｓ線での矢印方向から見た側面断面図である。図１３は図１０に示す磁気ヘッド装置のヘッド本体の側面断面図である。
従来の磁気ヘッド装置は、ヘッド本体５と、その摺動部１７を光磁気ディスク１の面に加圧する薄い支持材６と、この支持材６の一端を取り付けた固定部７とからなる。片持ち支持された支持材６の他端（自由端）には、接着、融着などの方法によってヘッド本体５が取り付けられている。
ヘッド本体５は、図１３に示すように、フェライト等の軟磁性体からなるＥ型の磁気コア１３の中心磁極に、巻回したコイル１４を装着して形成された磁気ヘッド素子１５と、直接光磁気ディスク１に接触摺動する摺動部１７を具備し、摺動性の良い樹脂、例えばポリフェニレンサルファイド、液晶ポリマーなどでできた摺動体（スライダ）１６とを備える。磁気ヘッド素子１５は、摺動体１６に接着固定又は樹脂一体成形などで一体に取り付けられる。
支持材６は、例えばＳＵＳ３０４、ＢｅＣｕなどの薄板で形成される。支持材６は、その一端が固定部７に固定され、光磁気ディスク１の面振れに追従し、且つ光磁気ディスク１への記録を行う位置である第１の位置で、ヘッド本体５に光磁気ディスク１の方向への荷重を与える為の第１の弾性変形部である第１のバネ系１０と、この第１のバネ系１０に対してカートリッジ２と干渉しないような所定角度で傾斜して第１のバネ系１０より延設され、幅方向両側に絞り出しで形成された絞りリブ１１を有することで剛体をなす中継部９と、中継部９より延設され、光磁気ディスク１の表面形状に追従するための第２の弾性変形部である第２のバネ系８とで構成される。
フレキシブルプリント基板３は、その一端がヘッド本体５に接着され、他端が支持材６の固定部７付近に接着されている。そして、フレキシブルプリント基板３の一端にはコイル１４の引き出し線の両端が半田付けされ、他端は図示しない磁気ヘッドの駆動回路へ接続される。
固定部７は、例えば鉄、ステンレスなどの金属板からなる。固定部７は、支持材６の一端を固定すると共に、図示しない光学ヘッドと磁気ヘッド４とを締結する締結部材１９にシャフト１８を介し回動自在に取り付けられ、図示しないバネなどによって光磁気ディスク１側へ付勢されている。
次に、ヘッド本体５を第１の位置から第２の位置へ移動させる磁気ヘッド昇降装置について説明する。リフトメカ２２０は、光磁気ディスク１を収納するカートリッジ２を保持するホルダ２３と磁気ヘッド４との間に配され、ホルダ２３に設けられた昇降回動軸２２６の周りに回動自在に取り付けられている。ホルダ２３にはスライド部材２４が取り付けられ、スライド部材２４は、ホルダ２３に取り付けられたモータ、ギヤなどから構成される昇降駆動部２５によって、図１０のＹ方向にスライド可能となっている。スライド部材２４の一部に、Ｚ軸方向の高さが変化したＹ軸方向に沿った傾斜面２４ａが形成されている。リフトメカ２２０には、図示しないバネなどの弾性部材により、その下面がスライド部材２４の傾斜面２４ａを押圧するように付勢力が与えられている。かくして、スライド部材２４の傾斜面２４ａとリフトメカ２２０とが当接する部分にはカム機構が形成される。リフトメカ２２０およびスライド部材２４は、例えばステンレスや鉄等の薄い金属板や樹脂からなる。ヘッド本体５を第２の位置に移動させたときに磁気ヘッド４と当接するリフトメカ２２０の部位には、曲面形状を有する昇降部２２１が配されている。
ヘッド本体５の第１の位置（記録位置）、即ち図１１に示す如く摺動部１７が光磁気ディスク１と接触摺動する状態では、ヘッド本体５が光磁気ディスク１へ接触する方向に荷重を与える第１のバネ系１０、及び光磁気ディスク１の面振れや表面形状の変化に応じて変位する第２のバネ系８によって、摺動部１７は光磁気ディスク１の面振れや表面形状の変化に追従し常に接触摺動する。
この時リフトメカ２２０の昇降部２２１は、磁気ヘッド４と接触しないように、光磁気ディスク１側へ退避している。
ヘッド本体５の第１の位置（記録位置）から第２の位置（再生位置）への移動は以下のように行われる。昇降駆動部２５によってスライド部材２４が図１０に示す矢印ａの方向にスライド移動する。カム機構を構成する傾斜面２４ａがリフトメカ２２０の下面に当接してリフトメカ２２０を持ち上げて、リフトメカ２２０を昇降回動軸２２６を中心として回動させ、昇降部２２１は光磁気ディスク１から離間する方向へ移動する。そして、昇降部２２１は磁気ヘッド４の中継部９の下面（光磁気ディスク１側の面）と当接し、第１のバネ系１０を弾性変形させて、ヘッド本体５を、光磁気ディスク１から離間させ、カートリッジ２との隙間Ｈ２を有する位置、即ち第２の位置まで上昇させる。このとき、ヘッド本体５の光磁気ディスク１から離間する際の回動中心は、第１のバネ系１０の固定部７側の端部（Ｐ１）である。
近年小型のポータブル機器の普及に伴い、装置の薄型化が進んでおり、磁気ヘッド４の薄型化やカートリッジ２上面から固定部７までの高さＨ３の薄型化が進んでいる。しかしながら、上記従来の磁気ヘッド及び磁気ヘッド昇降装置の構成では、ヘッド本体５を第２の位置へ移動させるためには、昇降部２２１の変位量を大きくする必要がある。即ち、第２の位置にてヘッド本体５を光磁気ディスク１から十分に離間させるために、昇降部２２１自体をカートリッジ２から大きく離間する必要があり（図１２の高さＨ４）、このため支持材６、特に第１のバネ系１０と中継部９との屈曲した接続部が固定部７よりも大きく突出する（即ち、突出部のカートリッジ２上面からの高さＨ１が大きい）。この結果、光磁気記録再生装置を薄型にできないという問題があった。
発明の開示
本発明は上記従来の問題点を解決するものであり、情報記録再生装置の薄型化を可能とする磁気ヘッド装置を提供することを目的とする。
上記の目的を達成するために、本発明の第１の磁気ヘッド装置は、一端を固定端とし、他端を自由端として片持ち支持され、前記固定端と前記自由端との間に弾性部を備える支持材と、前記支持材の前記自由端に取り付けられたヘッド本体とを備え、前記ヘッド本体が情報記録媒体に近接又は接触して記録又は再生を行う第１の位置と、前記ヘッド本体が前記情報記録媒体から遠ざかる第２の位置とを有する磁気ヘッドと、前記支持材に対して前記情報記録媒体側に配された第１の昇降部と、前記支持材に対して前記情報記録媒体とは反対側であって、且つ、前記第１の昇降部よりも前記固定端側に配された第２の昇降部とを備え、前記第１の昇降部が前記情報記録媒体から遠ざかる方向に移動して前記支持材の前記情報記録媒体側の面に当接して、前記ヘッド本体を前記第１の位置から前記第２の位置へ移動させる過程において、前記第２の昇降部が前記支持材の前記弾性部の前記情報記録媒体とは反対側の面に当接することを特徴とする。
また、本発明の第２の磁気ヘッド装置は、一端を固定端とし、他端を自由端として片持ち支持され、前記固定端と前記自由端との間に弾性部を備える支持材と、前記支持材の前記自由端に取り付けられたヘッド本体とを備え、前記ヘッド本体が情報記録媒体に近接又は接触して記録又は再生を行う第１の位置と、前記ヘッド本体が前記情報記録媒体から遠ざかる第２の位置とを有する磁気ヘッドと、前記支持材に対して前記情報記録媒体側に配された第１の昇降部と、前記支持材に対して前記情報記録媒体とは反対側であって、且つ、前記第１の昇降部よりも前記固定端側に配された第２の昇降部とを備え、前記第１の昇降部が前記磁気ヘッドの長手方向の沿って移動して前記支持材の前記情報記録媒体側の面に当接して、前記ヘッド本体を前記第１の位置から前記第２の位置へ移動させる過程において、前記第２の昇降部が前記支持材の前記弾性部の前記情報記録媒体とは反対側の面に当接することを特徴とする。
発明を実施するための最良の形態
本発明の第１及び第２の磁気ヘッド装置は、片持ち支持された支持材と、支持材の自由端に取り付けられたヘッド本体とを備える磁気ヘッドと、支持材に対して情報記録媒体側に配された第１の昇降部と、支持材に対して情報記録媒体とは反対側であって、且つ、第１の昇降部よりも固定端側に配された第２の昇降部とを備える。
そして、第１の磁気ヘッド装置においては、第１の昇降部が情報記録媒体から遠ざかる方向に移動して支持材の情報記録媒体側の面に当接して、ヘッド本体を第１の位置から第２の位置へ移動させる過程において、第２の昇降部が支持材の弾性部の情報記録媒体とは反対側の面に当接する。
これにより、第２の昇降部と弾性部とが当接した後は、第２の昇降部と弾性部との当接部分を回動中心としてヘッド本体が移動するので、ヘッド本体から回動中心までの距離をより短くでき、ヘッド本体を第２の位置へ移動させるために必要となる第１の昇降部の移動量をより小さくすることができる。よって、ヘッド本体を第２の位置へ移動させたときの磁気ヘッドの情報記録媒体から最も離れた部分の、情報記録媒体からの高さを小さくすることができる。従って、この磁気ヘッド装置を用いることにより、情報記録再生装置を薄型にできる。
本発明の上記の第１の磁気ヘッド装置において、前記第１の昇降部が前記情報記録媒体から遠ざかる方向に移動する過程において、前記第２の昇降部が前記情報記録媒体に近づく方向に移動することが好ましい。
この好ましい構成によれば、第１の位置から第２の位置へヘッド本体が移動する際のヘッド本体の回動中心が情報記録媒体側に近づくので、ヘッド本体が第２の位置にあるときの第１の昇降部の位置を低くできる。よって、ヘッド本体を第２の位置へ移動させたときの磁気ヘッドの高さをより小さくすることができる。従って、この磁気ヘッド装置を用いることにより、情報記録再生装置をより薄型にできる。
次に、本発明の第２の磁気ヘッド装置においては、第１の昇降部が磁気ヘッドの長手方向の沿って移動して支持材の情報記録媒体側の面に当接して、ヘッド本体を第１の位置から第２の位置へ移動させる過程において、第２の昇降部が支持材の弾性部の情報記録媒体とは反対側の面に当接する。
これにより、第２の昇降部と弾性部とが当接した後は、第２の昇降部と弾性部との当接部分を回動中心としてヘッド本体が移動するので、ヘッド本体から回動中心までの距離をより短くできる。よって、ヘッド本体を第２の位置へ移動させたときの磁気ヘッドの情報記録媒体から最も離れた部分の、情報記録媒体からの高さを小さくすることができる。従って、この磁気ヘッド装置を用いることにより、情報記録再生装置を薄型にできる。
また、本発明の上記の第１及び第２の磁気ヘッド装置において、前記第１の昇降部と前記第２の昇降部とが共通する部材に備えられていることが好ましい。
この好ましい構成によれば、昇降機構が簡素化され部品点数を削減できる。
また、本発明の上記の第１及び第２の磁気ヘッド装置において、前記第２の昇降部の前記支持材と対峙する面が前記支持材側に凸の曲面であることが好ましい。
この好ましい構成によれば、ヘッド本体が第２の位置にある状態でヘッド本体を情報記録媒体の半径方向に移動させたときの摩擦力を小さくでき、高速アクセスが実現できる。
以下、本発明の実施の形態について、図面を用いて説明する。
（実施の形態１）
図１は本発明の実施の形態１における磁気ヘッド装置の平面図である。図示したように、光磁気ディスク１の半径方向をＸ軸、接線方向をＹ軸、法線方向をＺ軸とするＸＹＺ３次元直交座標系を設定する。以下の説明の便宜のために、Ｚ軸方向を高さ方向とし、光磁気ディスク１から遠い側を上側、近い側を下側とする。但し、ここでいう「高さ」、「上」、「下」は磁気ヘッド装置の実際の使用状態での向きとは無関係である。図２は図１の磁気ヘッド装置の第１の位置（記録状態）でのＳ−Ｓ線での矢印方向から見た側面断面図であり、図３は図１の磁気ヘッド装置の第２の位置（再生状態）でのＳ−Ｓ線での矢印方向から見た側面断面図である。なお、図１０〜図１３に示した従来例と同じ機能を有する構成部品には同じ符号を付記しその詳細な説明を省略する。
図１〜図３において、６は支持材であり、例えばＳＵＳ３０４やＢｅＣｕなどの薄いバネ材でできている。本実施の形態において例示した支持材６は、その一端を固定部７に固定され、光磁気ディスク１の面振れに追従し、且つ全体の荷重を与える為の第１の弾性変形部である第１のバネ系１０と、第１のバネ系１０に対してカートリッジ２と干渉しないような所定角度で傾斜して第１のバネ系１０より延設され、かつ、幅方向両側に絞り出しで形成された絞りリブ１１を有することで剛体をなす中継部９と、中継部９に対して所定の角度をなして中継部９から延設され、光磁気ディスク１の面振れ、表面形状に追従するための第２の弾性変形部である第２のバネ系８とを有する。
固定部７は、例えば鉄、ステンレスなどの金属板からなる。固定部７は、支持材６の一端を固定すると共に、光磁気ディスク１を挟んで磁気ヘッド４と対峙して配される光学ヘッド（図示せず）と磁気ヘッド４とを締結する締結部材１９にシャフト１８を介してＹＺ面内で回動自在に取り付けられ、図示しないバネなどにより光磁気ディスク１側へ付勢されている。
ヘッド本体５は、図１３に示すように、フェライト等の軟磁性体からなるＥ型の磁気コア１３の中心磁極に、巻回したコイル１４を装着して形成された磁気ヘッド素子１５を、Ｅ型の磁気コア１３の解放端を光磁気ディスク１と対向させて、摺動性の良い樹脂、例えばポリフェニレンサルファイド、液晶ポリマーなどでてきた摺動体１６に一体に取り付けて形成される。
１７は摺動部であり、摺動体１６の光磁気ディスク１と対向する面に一体に形成されている。摺動部１７は、その断面を円弧状とすることで、光磁気ディスク１と常に点接触してなめらかに接触摺動を行う。
３はヘッド本体５に変調信号を伝送するための配線が施されたフレキシブルプリント基板であり、その一端がヘッド本体５に接着され、他端が固定部７に接着されている。そして、フレキシブルプリント基板３の一端にはコイル１４の引き出し線の両端が半田付けされ、他端は図示しない磁気ヘッドの駆動回路へ接続される。
ヘッド本体５は、片持ち支持構造の支持材６の揺動端（自由端）側に、融着または接着によって固定され、又は樹脂一体成形によって一体に形成される。また、支持材６の固定部７側の端部（固定端）は固定部７にレーザスポット溶接などで固定される。
２０はリフトメカであり、例えばステンレス、鉄、樹脂などで構成され、カートリッジ２を保持するホルダ２３に設けられた昇降回動軸２６の回りにＹＺ面内で回動自在に取り付けられている。リフトメカ２０は、昇降回動軸２６よりもヘッド本体５側の位置で且つ磁気ヘッド４とカートリッジ２との間に第１の昇降部２１を有し、第１の昇降部２１と昇降回動軸２６との間の位置で且つ磁気ヘッド４に対してカートリッジ２とは反対側に第２の昇降部２２を有している。第１の昇降部２１及び第２の昇降部２２はいずれもＸ軸に沿って延びている。
２４はスライド部材であり、例えばステンレス、鉄、樹脂などで構成され、ホルダ２３に対してＹ軸方向にスライド移動可能に取り付けられ、モータ、ギヤなどで構成された昇降駆動部２５によってスライド移動する。
スライド部材２４の一部に、Ｚ軸方向の高さが変化したＹ軸方向に沿った傾斜面２４ａが形成されている。リフトメカ２０には、図示しないバネなどの弾性部材により、その下面がスライド部材２４の傾斜面２４ａを押圧するように付勢力が与えられている。かくして、スライド部材２４の傾斜面２４ａとリフトメカ２０とが当接する部分にはカム機構が形成される。スライド部材２４が図１の矢印ａ方向へ移動すると、傾斜面２４ａがリフトメカ２０を持ち上げ、リフトメカ２０は、第１の昇降部２１がカートリッジ２から離間する方向に回動する。また、スライド部材２４が図１の矢印ｂ方向へ移動すると、バネなどの弾性部材の付勢力がリフトメカ２０を傾斜面２４ａの高さの変化に応じて変位させ、リフトメカ２０は、第１の昇降部２１がカートリッジ２に近づく方向に回動する。このとき第２の昇降部２２は、第１の昇降部２１と同方向に移動するが、昇降回動軸２６に近い位置に配されているため、その移動量は第１の昇降部２１の移動量に比べて極めて小さい。
ヘッド本体５の第１の位置（記録位置）では、図２に示すように、リフトメカ２０は支持材６に当接しておらず、磁気ヘッド４との間に隙間を有している。
ヘッド本体５の第１の位置において、カートリッジ２の上面からＺ軸方向に最も突出している部分は固定部７であり、このときの磁気ヘッド４の高さは、カートリッジ２の上面から固定部７の上面までの高さＨ３で規定される。
次に、ヘッド本体５の第１の位置から第２の位置（再生位置）への移動は以下のように行われる。図３に示すように、スライド部材２４の移動によりリフトメカ２０が昇降回動軸２６を中心に回動し、第１の昇降部２１が磁気ヘッド４の中継部９の下面（光磁気ディスク１側の面）と当接し、支持材６及びヘッド本体５を光磁気ディスク１から離間させる。このとき、ヘッド本体５の光磁気ディスク１から離間する際の回動中心は、第１のバネ系１０の固定部７側の端部（Ｐ１）である。更にリフトメカ２０が回動すると、第２の昇降部２２に第１のバネ系１０の上面（光磁気ディスク１とは反対側の面）が当接する。更にリフトメカ２０が回動すると、第２の昇降部２２は第１の昇降部２１に比べて移動量が極めて小さいために、第２の昇降部２２により第１のバネ系１０の上昇量が抑えられながら、第１の昇降部２１により中継部９が上昇する。このように、第２の昇降部２２が第１のバネ系１０の上面に当接した後は、リフトメカ２０の回動により第１のバネ系１０がこの当接位置で弾性変形する。即ち、ヘッド本体５の光磁気ディスク１から離間する際の回動中心が、第１のバネ系１０の固定部７側の端部（Ｐ１）から、前記当接位置、即ち第１のバネ系１０の長手方向中間部付近（Ｐ２）に移動する。そして、ヘッド本体５はカートリッジ２との間に隙間Ｈ２が確保される第２の位置にまで上昇され、磁気ヘッド４が保持される。
このように、本実施の形態では、ヘッド本体５を昇降させる際のヘッド本体５の回動中心位置が、従来に比べてヘッド本体５側の位置Ｐ２に移動する。第１のバネ系１０と中継部９とは、光磁気ディスク１とは反対側に凸となるような角度で接続されているから、この接続部分に近い位置Ｐ２に回動中心位置を移動させることにより、第２の位置でカートリッジ２とヘッド本体５との隙間Ｈ２を確保するために必要な第１の昇降部２１の高さＨ４を小さくすることができる。その結果、第２の位置での磁気ヘッド４の最も高い部分（本例では、第１のバネ系１０と中継部９との屈曲した接続部）のカートリッジ２上面からの高さＨ１を小さくすることができ、光磁気記録再生装置を薄型にできる。
なお、本実施の形態では第１の昇降部２１と第２の昇降部２２とが単一の部品であるリフトメカ２０に備えられ、これらが一体に移動する構成を示したが、本発明はこれに限定されず、例えば第１の昇降部２１と第２の昇降部２２とを別部品として配置し、それぞれを駆動するカム機構を独立して設けても同様な効果が得られる。
また、本実施の形態では磁気ヘッド４の支持材６が第１のバネ系１０と中継部９と第２のバネ系８とを有する例を示したが、本発明はこれに限定されず、例えば支持材６が第１のバネ系と中継部とで構成され、前記中継部の先端にヘッド本体５が固定されている磁気ヘッドにおいても同様な効果が得られる事は言うまでもない。
さらに、第２の昇降部２２の第１のバネ系１０との当接部は、第１のバネ系１０側へ突出した凸曲面を具備することが望ましい。かかる望ましい構成では、ヘッド本体５が第２の位置にある状態で磁気ヘッド４が光磁気ディスク１の半径方向（Ｘ方向）にアクセス移動する際の摩擦力が低減する。
以上のように、本発明の実施の形態１の磁気ヘッド装置によれば、支持材６に対して光磁気ディスク１側に配された第１の昇降部２１と、支持材６に対して光磁気ディスク１とは反対側であって、且つ第１の昇降部２１よりも固定部７側に配された第２の昇降部２２とを具備するリフトメカ２０を備え、第１の昇降部２１が支持材６の中継部９の光磁気ディスク１側の面に当接して、ヘッド本体５を第１の位置から第２の位置に変位させる過程において、第２の昇降部２２が支持材６の第１のバネ系１０の光磁気ディスク１とは反対側の面に当接し、第２の位置において第１のバネ系１０が第２の昇降部２２との当接部近傍で弾性変形するので、第２の位置においてヘッド本体５とカートリッジ２との間に従来と同様の隙間Ｈ２を確保しても、第１の昇降部２１のカートリッジ２からの高さＨ４を従来よりも小さくすることができる。その結果、ヘッド本体５が第２の位置にあるときに、カートリッジ２からの磁気ヘッド４の最遠部の高さＨ１を従来より低くでき、光磁気記録再生装置をより薄型にできる。
（実施の形態２）
以下、図４〜図６を用いて本発明の実施の形態２に係る磁気ヘッド装置について説明する。図４は本発明の実施の形態２における磁気ヘッド装置の平面図であり、図５は図４の磁気ヘッド装置の第１の位置でのＳ−Ｓ線での矢印方向から見た側面断面図であり、図６は図４の磁気ヘッド装置の第２の位置でのＳ−Ｓ線での矢印方向から見た側面断面図である。図１〜図３に示した実施の形態１と同じ機能を有する構成部品には同じ符号を付記しその詳細な説明を省略する。
３０はリフトメカであり、実施の形態１と同様に、第１の昇降部３１と第２の昇降部３２とを有し、昇降回動軸３６の回りにＹＺ面内で回動自在に取り付けられている。
本実施の形態２の磁気ヘッド装置が実施の形態１のものと異なっているのは、第２の昇降部３２がリフトメカ３０の昇降回動軸３６よりも固定部７側に配されている点である。
ヘッド本体５の第１の位置では、第１の昇降部３１及び第２の昇降部３２は共に支持材６と接触していない。
ヘッド本体５の第１の位置から第２の位置への移動は以下のように行われる。実施の形態１と同様にスライド部材２４の移動により、リフトメカ３０が昇降回動軸３６を中心に回動し、第１の昇降部３１が光磁気ディスク１から離間する方向に移動（上昇）し、中継部９の下面（光磁気ディスク１側の面）と当接し、支持材６及びヘッド本体５を光磁気ディスク１から離間させる。一方、第２の昇降部３２は光磁気ディスク１に接近する方向に移動（下降）し、第１のバネ系１０の上面（光磁気ディスク１とは反対側の面）に当接する。更にリフトメカ２０が回動すると、第１の昇降部３１が中継部９及びヘッド本体５を上昇させ、第２の昇降部３２は第１のバネ系１０との当接位置を下降させる。その結果、第１のバネ系１０は、第２の昇降部３２との当接位置で、実施の形態１の場合に比べてより積極的に弾性変形せしめられる。本実施の形態においても、ヘッド本体５の光磁気ディスク１から離間する際の回動中心が、第１のバネ系１０の固定部７側の端部（Ｐ１）から、前記当接位置、即ち第１のバネ系１０の長手方向中間部付近（Ｐ２）に移動する。そして、ヘッド本体５はカートリッジ２との間に隙間Ｈ２が確保される第２の位置にまで上昇され、磁気ヘッド４が保持される。
第２の位置で第２の昇降部３２がカートリッジ２に近づくので、第１の位置から第２の位置への移動における支持材６の回動中心Ｐ２がカートリッジ２に接近し、上記隙間Ｈ２を確保するために必要な第１の昇降部３１の高さＨ４をより小さくできる。その結果、第２の位置での磁気ヘッド４の最も高い部分（本例では、支持材６の自由端側端部又はヘッド本体５の上面）のカートリッジ２上面からの高さＨ１をより小さくすることができ、光磁気記録再生装置をより薄型にできる。
以上のように、実施の形態２の磁気ヘッド装置によれば、第２の昇降部３２をリフトメカ３０の昇降回動軸３６よりも固定部７側に配したことにより、ヘッド本体５の第１の位置から第２の位置への移動における支持材６の回動中心Ｐ２を低くできるので、第２の位置での磁気ヘッド４の最も高い部分のカートリッジ２上面からの高さＨ１を実施の形態１よりも小さくすることができる。更に、高さＨ１を小さくできる結果、これに対応して固定部７の高さＨ３を実施の形態１よりも低くすることができる。その結果、光磁気記録再生装置をさらに薄型にできる。
（実施の形態３）
以下、図７〜図９を用いて本発明の実施の形態３に係る磁気ヘッド装置について説明する。図７は本発明の実施の形態３における磁気ヘッド装置の平面図であり、図８は図７の磁気ヘッド装置の第１の位置でのＳ−Ｓ線での矢印方向から見た側面断面図であり、図９は図７の磁気ヘッド装置の第２の位置でのＳ−Ｓ線での矢印方向から見た側面断面図である。図４〜図６に示した実施の形態２と同じ機能を有する構成部品には同じ符号を付記しその詳細な説明を省略する。
４０はリフトメカであり、実施の形態２と同様に、第１の昇降部４１と第２の昇降部４２とを有し、昇降回動軸４６の回りにＹＺ面内で回動自在に取り付けられている。４４はスライド部材であり、実施の形態２と同様に、ホルダ２３に対してＹ軸方向にスライド移動可能に取り付けられ、昇降駆動部２５によってスライド移動する。４７は、Ｚ軸方向の高さが変化したＹ軸方向に沿った傾斜面であり、ホルダ２３に固定されている。リフトメカ４０には、図示しないバネなどの弾性部材により、その下面が傾斜面４７を押圧するように付勢力が与えられている。かくして、傾斜面４７とリフトメカ４０とが当接する部分にはカム機構が形成される。
実施の形態３の磁気ヘッド装置が実施の形態２のものと異なっている点は以下の通りである。第１に、昇降回動軸４６がスライド部材４４に設置されており、スライド部材４４がＹ軸方向に移動すると、昇降回動軸４６と、第１の昇降部４１及び第２の昇降部４２を含むリフトメカ４０とがスライド部材４４とともにＹ軸方向に移動する。第２に、スライド部材４４がＹ軸方向に移動しても、傾斜面４７はホルダ２３に固定されているので不動である。
ヘッド本体５の第１の位置から第２の位置への移動は以下のように行われる。スライド部材４４が昇降駆動部２５によって図７の矢印ａ方向へ移動すると、スライド部材４４に昇降回動軸４６を介して回動自在に取り付けられたリフトメカ４０も、矢印ａ方向へ移動する。リフトメカ４０の下面はホルダ２３に固定された傾斜面４７と当接しているから、リフトメカ４０の矢印ａ方向への移動により、傾斜面４７はリフトメカ４０を持ち上げる。その結果、リフトメカ４０は昇降回動軸４６の回りに回動する。従って、第１の昇降部４１は、Ｚ軸方向には光磁気ディスク１から離間する方向へ移動すると共に、Ｙ軸方向にはヘッド本体５の方向へ移動して、中継部９の下面（光磁気ディスク１側の面）と当接し、支持材６及びヘッド本体５を光磁気ディスク１から離間させる。一方、第２の昇降部４２は、Ｚ軸方向には光磁気ディスク１に近づく方向へ移動すると共に、Ｙ軸方向には中継部９の方向へ移動して、第１のバネ系１０の上面（光磁気ディスク１とは反対側の面）に当接し、第１のバネ系１０を弾性変形させる。本実施の形態においても、第２の昇降部４２と第１のバネ系１０との当接位置Ｐ２を回動中心としてヘッド本体５が光磁気ディスク１から離間するが、ヘッド本体５が上昇するに従って該回動中心位置（当接位置）Ｐ２が中継部９側に移動する。第１のバネ系１０と中継部９とは、光磁気ディスク１とは反対側に凸となるような角度で接続されているから、回動中心位置Ｐ２を第１のバネ系１０と中継部９との接続部分により近い位置に移動させることにより、第２の位置でカートリッジ２とヘッド本体５との隙間Ｈ２を確保するために必要な第１の昇降部４１の高さＨ４を実施の形態２よりも更に小さくすることができる。その結果、第２の位置での磁気ヘッド４の最も高い部分（本例では、支持材６の自由端側端部又はヘッド本体５の上面）のカートリッジ２上面からの高さＨ１を更に小さくすることができ、光磁気記録再生装置を更に薄型にできる。
以上のように、実施の形態３の磁気ヘッド装置によれば、ヘッド本体５を第１の位置から第２の位置へ移動させる際に、リフトメカの昇降回動軸をヘッド本体５側に移動させる機構を実施の形態２に付加したことにより、第２の位置での磁気ヘッド４の最も高い部分のカートリッジ２上面からの高さＨ１を実施の形態２よりも小さくすることができる。その結果、光磁気記録再生装置をさらに薄型にできる。
なお、本実施の形態では、ヘッド本体５を第１の位置から第２の位置へ移動させる際に、第１の昇降部と第２の昇降部とがともに磁気ヘッド４の自由端側に移動する構成を示したが、本発明はこれに限定されず、第１の昇降部と第２の昇降部とがともに磁気ヘッド４の固定端側に移動する構成であっても良い。あるいは、第１の昇降部と第２の昇降部とを別部品として、両者が相互に接近する方向又は相互に離間する方向に移動する構成であっても良い。
また、本実施の形態では、実施の形態２にリフトメカの昇降回動軸をＹ軸方向に移動させる機構を付与した構成を示したが、本発明はこれに限定されず、例えば実施の形態１にリフトメカの昇降回動軸をＹ軸方向に移動させる機構を付与しても良い。この場合でも、実施の形態１に比べて、第２の位置での磁気ヘッド４の高さＨ１を実施の形態１よりも小さくすることができる。
また、本実施の形態では、ヘッド本体５が第１の位置から第２の位置へ移動する際に、第１の昇降部４１及び第２の昇降部４２がＹ軸方向及びＺ軸方向に移動する構成を示したが、本発明はこれに限定されない。例えば、第１の昇降部４１がそのＺ軸方向位置（即ち、高さ）を変えることなく、Ｙ軸に沿ってヘッド本体５の方向へ移動させても良い。これにより、第１の昇降部４１が中継部９の下面と当接し、支持材６及びヘッド本体５を光磁気ディスク１から離間させることができる。このとき、ヘッド本体５が第２の位置に至る過程で、第１のバネ系１０の上面が第２の昇降部４２に当接する。その後は、第２の昇降部４２と第１のバネ系１０との当接位置Ｐ２を回動中心としてヘッド本体５が光磁気ディスク１から離間する。その結果、第２の位置での磁気ヘッド４の最も高い部分のカートリッジ２上面からの高さＨ１を更に小さくすることができ、光磁気記録再生装置を薄型にできる。この場合において、第１の昇降部４１がＹ軸に沿ってヘッド本体５の方向へ移動する際に、第２の昇降部４２は不動であっても良いが、Ｙ軸方向に移動（好ましくは、固定端側に移動）してもよく、また、Ｚ軸方向にも移動（好ましくは、光磁気ディスク１に近づく方向に移動）しても良い。
上記の実施の形態１〜３では、光磁気記録方式の情報記録媒体に対応した磁気ヘッド装置を例に説明したが、本発明の磁気ヘッド装置はこれに限定されず、例えば、磁気記録方式の情報記録媒体に対応した磁気ヘッド装置に適用することもできる。この場合には、ヘッド本体が第１の位置にある状態で記録及び再生が行われる。
以上に説明した実施の形態は、いずれもあくまでも本発明の技術的内容を明らかにする意図のものであって、本発明はこのような具体例にのみ限定して解釈されるものではなく、その発明の精神と請求の範囲に記載する範囲内でいろいろと変更して実施することができ、本発明を広義に解釈すべきである。
【図面の簡単な説明】
図１は、本発明の実施の形態１の磁気ヘッド装置の平面図である。
図２は、本発明の実施の形態１の磁気ヘッド装置において、ヘッド本体が第１の位置にあるときの図１のＳ−Ｓ線での矢印方向から見た側面断面図である。
図３は、本発明の実施の形態１の磁気ヘッド装置において、ヘッド本体が第２の位置にあるときの図１のＳ−Ｓ線での矢印方向から見た側面断面図である。
図４は、本発明の実施の形態２の磁気ヘッド装置の平面図である。
図５は、本発明の実施の形態２の磁気ヘッド装置において、ヘッド本体が第１の位置にあるときの図４のＳ−Ｓ線での矢印方向から見た側面断面図である。
図６は、本発明の実施の形態２の磁気ヘッド装置において、ヘッド本体が第２の位置にあるときの図４のＳ−Ｓ線での矢印方向から見た側面断面図である。
図７は、本発明の実施の形態３の磁気ヘッド装置の平面図である。
図８は、本発明の実施の形態３の磁気ヘッド装置において、ヘッド本体が第１の位置にあるときの図７のＳ−Ｓ線での矢印方向から見た側面断面図である。
図９は、本発明の実施の形態３の磁気ヘッド装置において、ヘッド本体が第２の位置にあるときの図７のＳ−Ｓ線での矢印方向から見た側面断面図である。
図１０は、従来の磁気ヘッド装置の平面図である。
図１１は、従来の磁気ヘッド装置において、ヘッド本体が第１の位置にあるときの図１０のＳ−Ｓ線での矢印方向から見た側面断面図である。
図１２は、従来の磁気ヘッド装置において、ヘッド本体が第２の位置にあるときの図１０のＳ−Ｓ線での矢印方向から見た側面断面図である。
図１３は、従来の磁気ヘッド装置のヘッド本体の側面断面図である。
【図１】
2003060901.tif 000003
【図２】
2003060901.tif 000004
【図３】
2003060901.tif 000005
【図４】
2003060901.tif 000006
【図５】
2003060901.tif 000007
【図６】
2003060901.tif 000008
【図７】
2003060901.tif 000009
【図８】
2003060901.tif 000010
【図９】
2003060901.tif 000011
【図１０】
2003060901.tif 000012
【図１１】
2003060901.tif 000013
【図１２】
2003060901.tif 000014
【図１３】
2003060901.tif 000015
【手続補正書】
【提出日】平成15年6月24日(2003.6.24)
【手続補正１】
【補正対象書類名】明細書
【補正対象項目名】特許請求の範囲
【補正方法】変更
【補正の内容】
【特許請求の範囲】
【請求項１】
（補正後）一端を固定端とし、他端を自由端として片持ち支持され、前記固定端と前記自由端との間に弾性部を備える支持材と、前記支持材の前記自由端に取り付けられたヘッド本体とを備え、前記ヘッド本体が情報記録媒体に近接又は接触して記録又は再生を行う第１の位置と、前記ヘッド本体が前記情報記録媒体から遠ざかる第２の位置とを有する磁気ヘッドと、
前記支持材に対して前記情報記録媒体側に配された第１の昇降部と、
前記支持材に対して前記情報記録媒体とは反対側であって、且つ、前記第１の昇降部よりも前記固定端側に配された第２の昇降部とを備え、
前記第１の昇降部が前記情報記録媒体から遠ざかる方向に移動して前記支持材の前記情報記録媒体側の面に当接して、前記ヘッド本体を前記第１の位置から前記第２の位置へ移動させる過程において、前記第２の昇降部が前記情報記録媒体に近づく方向に移動し前記支持材の前記弾性部の前記情報記録媒体とは反対側の面に当接することを特徴とする磁気ヘッド装置。
【請求項２】
削除
【請求項３】
一端を固定端とし、他端を自由端として片持ち支持され、前記固定端と前記自由端との間に弾性部を備える支持材と、前記支持材の前記自由端に取り付けられたヘッド本体とを備え、前記ヘッド本体が情報記録媒体に近接又は接触して記録又は再生を行う第１の位置と、前記ヘッド本体が前記情報記録媒体から遠ざかる第２の位置とを有する磁気ヘッドと、
前記支持材に対して前記情報記録媒体側に配された第１の昇降部と、
前記支持材に対して前記情報記録媒体とは反対側であって、且つ、前記第１の昇降部よりも前記固定端側に配された第２の昇降部とを備え、
前記第１の昇降部が前記磁気ヘッドの長手方向の沿って移動して前記支持材の前記情報記録媒体側の面に当接して、前記ヘッド本体を前記第１の位置から前記第２の位置へ移動させる過程において、前記第２の昇降部が前記支持材の前記弾性部の前記情報記録媒体とは反対側の面に当接することを特徴とする磁気ヘッド装置。
【請求項４】
前記第１の昇降部と前記第２の昇降部とが共通する部材に備えられている請求項１又は３に記載の磁気ヘッド装置。
【請求項５】
前記第２の昇降部の前記支持材と対峙する面が前記支持材側に凸の曲面である請求項１又は３に記載の磁気ヘッド装置。
【手続補正書】
【提出日】平成16年3月15日(2004.3.15)
【手続補正１】
【補正対象書類名】特許請求の範囲
【補正対象項目名】全文
【補正方法】変更
【補正の内容】
【特許請求の範囲】
【請求項１】
一端を固定端とし、他端を自由端として片持ち支持され、前記固定端と前記自由端との間に弾性部を備える支持材と、前記支持材の前記自由端に取り付けられたヘッド本体とを備え、前記ヘッド本体が情報記録媒体に近接又は接触して記録又は再生を行う第１の位置と、前記ヘッド本体が前記情報記録媒体から遠ざかる第２の位置とを有する磁気ヘッドと、
前記支持材に対して前記情報記録媒体側に配された第１の昇降部と、
前記支持材に対して前記情報記録媒体とは反対側であって、且つ、前記第１の昇降部よりも前記固定端側に配された第２の昇降部とを備え、
前記第１の昇降部が前記情報記録媒体から遠ざかる方向に移動して前記支持材の前記情報記録媒体側の面に当接して、前記ヘッド本体を前記第１の位置から前記第２の位置へ移動させる過程において、前記第２の昇降部が前記情報記録媒体に近づく方向に移動し前記支持材の前記弾性部の前記情報記録媒体とは反対側の面に当接することを特徴とする磁気ヘッド装置。
【請求項２】
一端を固定端とし、他端を自由端として片持ち支持され、前記固定端と前記自由端との間に弾性部を備える支持材と、前記支持材の前記自由端に取り付けられたヘッド本体とを備え、前記ヘッド本体が情報記録媒体に近接又は接触して記録又は再生を行う第１の位置と、前記ヘッド本体が前記情報記録媒体から遠ざかる第２の位置とを有する磁気ヘッドと、
前記支持材に対して前記情報記録媒体側に配された第１の昇降部と、
前記支持材に対して前記情報記録媒体とは反対側であって、且つ、前記第１の昇降部よりも前記固定端側に配された第２の昇降部とを備え、
前記第１の昇降部が前記磁気ヘッドの長手方向の沿って移動して前記支持材の前記情報記録媒体側の面に当接して、前記ヘッド本体を前記第１の位置から前記第２の位置へ移動させる過程において、前記第２の昇降部が前記支持材の前記弾性部の前記情報記録媒体とは反対側の面に当接することを特徴とする磁気ヘッド装置。
【請求項３】
前記第１の昇降部と前記第２の昇降部とが共通する部材に備えられている請求項１又は２に記載の磁気ヘッド装置。
【請求項４】
前記第２の昇降部の前記支持材と対峙する面が前記支持材側に凸の曲面である請求項１又は２に記載の磁気ヘッド装置。
【手続補正２】
【補正対象書類名】明細書
【補正対象項目名】全文
【補正方法】変更
【補正の内容】
【発明の詳細な説明】
【技術分野】
【０００１】
本発明は磁気ヘッド装置に関するものであり、詳しくは情報記録再生装置の薄型化を可能とする磁気ヘッド装置に関するものである。
【背景技術】
【０００２】
光磁気記録再生装置は、ディスク回転駆動機構によって回転操作される情報記録媒体である光磁気ディスクの一方の面側に、情報記録媒体の光磁気記録層に照射される光ビームを出射する光学ヘッドを備え、光磁気ディスクの他方の面側に、光磁気記録層に外部磁界を印加する磁気ヘッドを前記光学ヘッドと対向して備えている。光磁気記録再生装置は、回転操作される光磁気ディスクの光磁気記録層に、磁気ヘッドから記録すべき情報信号に応じて磁界の向きが変調された磁界を印加するとともに、光学ヘッドから出射される光ビームを集光して照射する。
【０００３】
この光ビーム照射によって、キュリー温度以上に加熱されて保磁力を消失した部分が、磁気ヘッドから印加される磁界の方向に応じて磁化された後、光磁気ディスクの回転による光ビームの相対移動によってキュリー温度以下に低下し、この磁化の方向が固定されることによって情報信号の記録が行われる。
【０００４】
光磁気ディスクは回転操作されるので面振れを生じ易い。このため磁気ヘッドでは光磁気ディスクの面振れ方向に揺動可能な片持ち支持された支持材の自由端にヘッド本体が取り付けられている。このヘッド本体は、磁界印加部分が装着され、且つ、光磁気ディスクと接触摺動または光磁気ディスクと微少な距離を保って浮上するスライダから構成される。
【０００５】
磁気ヘッド装置は、スライダが光磁気ディスクに対して接触摺動又は浮上するなどして互いに近接し記録状態となる第１の位置と、磁気ヘッド装置の磁気ヘッド昇降装置により支持材の自由端とヘッド本体とが光磁気ディスクから離間し、再生状態となる第２の位置とを採る。
【０００６】
従来の磁気ヘッド装置は、例えば特許文献１に記載されている。
【０００７】
以下図１０〜図１３を用いて従来の磁気ヘッド装置について説明する。図１０は従来の磁気ヘッド装置の一例の平面図である。図示したように、光磁気ディスク１の半径方向をＸ軸、接線方向をＹ軸、法線方向をＺ軸とするＸＹＺ３次元直交座標系を設定する。図１１は図１０に示した磁気ヘッド装置の第１の位置（記録状態）でのＳ−Ｓ線での矢印方向から見た側面断面図である。図１２は図１０に示した磁気ヘッド装置の第２の位置（再生状態）でのＳ−Ｓ線での矢印方向から見た側面断面図である。図１３は図１０に示す磁気ヘッド装置のヘッド本体の側面断面図である。
【０００８】
従来の磁気ヘッド装置は、ヘッド本体５と、その摺動部１７を光磁気ディスク１の面に加圧する薄い支持材６と、この支持材６の一端を取り付けた固定部７とからなる。片持ち支持された支持材６の他端（自由端）には、接着、融着などの方法によってヘッド本体５が取り付けられている。
【０００９】
ヘッド本体５は、図１３に示すように、フェライト等の軟磁性体からなるＥ型の磁気コア１３の中心磁極に、巻回したコイル１４を装着して形成された磁気ヘッド素子１５と、直接光磁気ディスク１に接触摺動する摺動部１７を具備し、摺動性の良い樹脂、例えばポリフェニレンサルファイド、液晶ポリマーなどでできた摺動体（スライダ）１６とを備える。磁気ヘッド素子１５は、摺動体１６に接着固定又は樹脂一体成形などで一体に取り付けられる。
【００１０】
支持材６は、例えばＳＵＳ３０４、ＢｅＣｕなどの薄板で形成される。支持材６は、その一端が固定部７に固定され、光磁気ディスク１の面振れに追従し、且つ光磁気ディスク１への記録を行う位置である第１の位置で、ヘッド本体５に光磁気ディスク１の方向への荷重を与える為の第１の弾性変形部である第１のバネ系１０と、この第１のバネ系１０に対してカートリッジ２と干渉しないような所定角度で傾斜して第１のバネ系１０より延設され、幅方向両側に絞り出しで形成された絞りリブ１１を有することで剛体をなす中継部９と、中継部９より延設され、光磁気ディスク１の表面形状に追従するための第２の弾性変形部である第２のバネ系８とで構成される。
【００１１】
フレキシブルプリント基板３は、その一端がヘッド本体５に接着され、他端が支持材６の固定部７付近に接着されている。そして、フレキシブルプリント基板３の一端にはコイル１４の引き出し線の両端が半田付けされ、他端は図示しない磁気ヘッドの駆動回路へ接続される。
【００１２】
固定部７は、例えば鉄、ステンレスなどの金属板からなる。固定部７は、支持材６の一端を固定すると共に、図示しない光学ヘッドと磁気ヘッド４とを締結する締結部材１９にシャフト１８を介し回動自在に取り付けられ、図示しないバネなどによって光磁気ディスク１側へ付勢されている。
【００１３】
次に、ヘッド本体５を第１の位置から第２の位置へ移動させる磁気ヘッド昇降装置について説明する。リフトメカ２２０は、光磁気ディスク１を収納するカートリッジ２を保持するホルダ２３と磁気ヘッド４との間に配され、ホルダ２３に設けられた昇降回動軸２２６の周りに回動自在に取り付けられている。ホルダ２３にはスライド部材２４が取り付けられ、スライド部材２４は、ホルダ２３に取り付けられたモータ、ギヤなどから構成される昇降駆動部２５によって、図１０のＹ軸方向にスライド可能となっている。スライド部材２４の一部に、Ｚ軸方向の高さが変化したＹ軸方向に沿った傾斜面２４ａが形成されている。リフトメカ２２０には、図示しないバネなどの弾性部材により、その下面がスライド部材２４の傾斜面２４ａを押圧するように付勢力が与えられている。かくして、スライド部材２４の傾斜面２４ａとリフトメカ２２０とが当接する部分にはカム機構が形成される。リフトメカ２２０およびスライド部材２４は、例えばステンレスや鉄等の薄い金属板や樹脂からなる。ヘッド本体５を第２の位置に移動させたときに磁気ヘッド４と当接するリフトメカ２２０の部位には、曲面形状を有する昇降部２２１が配されている。
【００１４】
ヘッド本体５の第１の位置（記録位置）、即ち図１１に示す如く摺動部１７が光磁気ディスク１と接触摺動する状態では、ヘッド本体５が光磁気ディスク１へ接触する方向に荷重を与える第１のバネ系１０、及び光磁気ディスク１の面振れや表面形状の変化に応じて変位する第２のバネ系８によって、摺動部１７は光磁気ディスク１の面振れや表面形状の変化に追従し常に接触摺動する。
【００１５】
この時リフトメカ２２０の昇降部２２１は、磁気ヘッド４と接触しないように、光磁気ディスク１側へ退避している。
【００１６】
ヘッド本体５の第１の位置（記録位置）から第２の位置（再生位置）への移動は以下のように行われる。昇降駆動部２５によってスライド部材２４が図１０に示す矢印ａの方向にスライド移動する。カム機構を構成する傾斜面２４ａがリフトメカ２２０の下面に当接してリフトメカ２２０を持ち上げて、リフトメカ２２０を昇降回動軸２２６を中心として回動させ、昇降部２２１は光磁気ディスク１から離間する方向へ移動する。そして、昇降部２２１は磁気ヘッド４の中継部９の下面（光磁気ディスク１側の面）と当接し、第１のバネ系１０を弾性変形させて、ヘッド本体５を、光磁気ディスク１から離間させ、カートリッジ２との隙間Ｈ２を有する位置、即ち第２の位置まで上昇させる。このとき、ヘッド本体５の光磁気ディスク１から離間する際の回動中心は、第１のバネ系１０の固定部７側の端部（Ｐ１）である。
【特許文献１】特開平１０−８０２８８２号公報（特願平１０−５０５８４７号）
【発明の開示】
【発明が解決しようとする課題】
【００１７】
近年小型のポータブル機器の普及に伴い、装置の薄型化が進んでおり、磁気ヘッド４の薄型化やカートリッジ２上面から固定部７までの高さＨ３の薄型化が進んでいる。しかしながら、上記従来の磁気ヘッド及び磁気ヘッド昇降装置の構成では、ヘッド本体５を第２の位置へ移動させるためには、昇降部２２１の変位量を大きくする必要がある。即ち、第２の位置にてヘッド本体５を光磁気ディスク１から十分に離間させるために、昇降部２２１自体をカートリッジ２から大きく離間する必要があり（図１２の高さＨ４）、このため支持材６、特に第１のバネ系１０と中継部９との屈曲した接続部が固定部７よりも大きく突出する（即ち、突出部のカートリッジ２上面からの高さＨ１が大きい）。この結果、光磁気記録再生装置を薄型にできないという問題があった。
【００１８】
本発明は上記従来の問題点を解決するものであり、情報記録再生装置の薄型化を可能とする磁気ヘッド装置を提供することを目的とする。
【課題を解決するための手段】
【００１９】
上記の目的を達成するために、本発明の第１の磁気ヘッド装置は、一端を固定端とし、他端を自由端として片持ち支持され、前記固定端と前記自由端との間に弾性部を備える支持材と、前記支持材の前記自由端に取り付けられたヘッド本体とを備え、前記ヘッド本体が情報記録媒体に近接又は接触して記録又は再生を行う第１の位置と、前記ヘッド本体が前記情報記録媒体から遠ざかる第２の位置とを有する磁気ヘッドと、前記支持材に対して前記情報記録媒体側に配された第１の昇降部と、前記支持材に対して前記情報記録媒体とは反対側であって、且つ、前記第１の昇降部よりも前記固定端側に配された第２の昇降部とを備え、前記第１の昇降部が前記情報記録媒体から遠ざかる方向に移動して前記支持材の前記情報記録媒体側の面に当接して、前記ヘッド本体を前記第１の位置から前記第２の位置へ移動させる過程において、前記第２の昇降部が前記支持材の前記弾性部の前記情報記録媒体とは反対側の面に当接することを特徴とする。
【００２０】
また、本発明の第２の磁気ヘッド装置は、一端を固定端とし、他端を自由端として片持ち支持され、前記固定端と前記自由端との間に弾性部を備える支持材と、前記支持材の前記自由端に取り付けられたヘッド本体とを備え、前記ヘッド本体が情報記録媒体に近接又は接触して記録又は再生を行う第１の位置と、前記ヘッド本体が前記情報記録媒体から遠ざかる第２の位置とを有する磁気ヘッドと、前記支持材に対して前記情報記録媒体側に配された第１の昇降部と、前記支持材に対して前記情報記録媒体とは反対側であって、且つ、前記第１の昇降部よりも前記固定端側に配された第２の昇降部とを備え、前記第１の昇降部が前記磁気ヘッドの長手方向の沿って移動して前記支持材の前記情報記録媒体側の面に当接して、前記ヘッド本体を前記第１の位置から前記第２の位置へ移動させる過程において、前記第２の昇降部が前記支持材の前記弾性部の前記情報記録媒体とは反対側の面に当接することを特徴とする。
【発明の効果】
【００２１】
本発明によれば、第２の昇降部と弾性部とが当接した後は、第２の昇降部と弾性部との当接部分を回動中心としてヘッド本体が移動するので、ヘッド本体から回動中心までの距離をより短くでき、ヘッド本体を第２の位置へ移動させるために必要となる第１の昇降部の移動量をより小さくすることができる。よって、ヘッド本体を第２の位置へ移動させたときの磁気ヘッドの情報記録媒体から最も離れた部分の、情報記録媒体からの高さを小さくすることができる。従って、この磁気ヘッド装置を用いることにより、情報記録再生装置を薄型にできる。
【発明を実施するための最良の形態】
【００２２】
本発明の第１及び第２の磁気ヘッド装置は、片持ち支持された支持材と、支持材の自由端に取り付けられたヘッド本体とを備える磁気ヘッドと、支持材に対して情報記録媒体側に配された第１の昇降部と、支持材に対して情報記録媒体とは反対側であって、且つ、第１の昇降部よりも固定端側に配された第２の昇降部とを備える。
【００２３】
そして、第１の磁気ヘッド装置においては、第１の昇降部が情報記録媒体から遠ざかる方向に移動して支持材の情報記録媒体側の面に当接して、ヘッド本体を第１の位置から第２の位置へ移動させる過程において、第２の昇降部が支持材の弾性部の情報記録媒体とは反対側の面に当接する。
【００２４】
これにより、第２の昇降部と弾性部とが当接した後は、第２の昇降部と弾性部との当接部分を回動中心としてヘッド本体が移動するので、ヘッド本体から回動中心までの距離をより短くでき、ヘッド本体を第２の位置へ移動させるために必要となる第１の昇降部の移動量をより小さくすることができる。よって、ヘッド本体を第２の位置へ移動させたときの磁気ヘッドの情報記録媒体から最も離れた部分の、情報記録媒体からの高さを小さくすることができる。従って、この磁気ヘッド装置を用いることにより、情報記録再生装置を薄型にできる。
【００２５】
本発明の上記の第１の磁気ヘッド装置において、前記第１の昇降部が前記情報記録媒体から遠ざかる方向に移動する過程において、前記第２の昇降部が前記情報記録媒体に近づく方向に移動することが好ましい。
【００２６】
この好ましい構成によれば、第１の位置から第２の位置へヘッド本体が移動する際のヘッド本体の回動中心が情報記録媒体側に近づくので、ヘッド本体が第２の位置にあるときの第１の昇降部の位置を低くできる。よって、ヘッド本体を第２の位置へ移動させたときの磁気ヘッドの高さをより小さくすることができる。従って、この磁気ヘッド装置を用いることにより、情報記録再生装置をより薄型にできる。
【００２７】
次に、本発明の第２の磁気ヘッド装置においては、第１の昇降部が磁気ヘッドの長手方向の沿って移動して支持材の情報記録媒体側の面に当接して、ヘッド本体を第１の位置から第２の位置へ移動させる過程において、第２の昇降部が支持材の弾性部の情報記録媒体とは反対側の面に当接する。
【００２８】
これにより、第２の昇降部と弾性部とが当接した後は、第２の昇降部と弾性部との当接部分を回動中心としてヘッド本体が移動するので、ヘッド本体から回動中心までの距離をより短くできる。よって、ヘッド本体を第２の位置へ移動させたときの磁気ヘッドの情報記録媒体から最も離れた部分の、情報記録媒体からの高さを小さくすることができる。従って、この磁気ヘッド装置を用いることにより、情報記録再生装置を薄型にできる。
【００２９】
また、本発明の上記の第１及び第２の磁気ヘッド装置において、前記第１の昇降部と前記第２の昇降部とが共通する部材に備えられていることが好ましい。
【００３０】
この好ましい構成によれば、昇降機構が簡素化され部品点数を削減できる。
【００３１】
また、本発明の上記の第１及び第２の磁気ヘッド装置において、前記第２の昇降部の前記支持材と対峙する面が前記支持材側に凸の曲面であることが好ましい。
【００３２】
この好ましい構成によれば、ヘッド本体が第２の位置にある状態でヘッド本体を情報記録媒体の半径方向に移動させたときの摩擦力を小さくでき、高速アクセスが実現できる。
【００３３】
以下、本発明の実施の形態について、図面を用いて説明する。
【００３４】
（実施の形態１）
図１は本発明の実施の形態１における磁気ヘッド装置の平面図である。図示したように、光磁気ディスク１の半径方向をＸ軸、接線方向をＹ軸、法線方向をＺ軸とするＸＹＺ３次元直交座標系を設定する。以下の説明の便宜のために、Ｚ軸方向を高さ方向とし、光磁気ディスク１から遠い側を上側、近い側を下側とする。但し、ここでいう「高さ」、「上」、「下」は磁気ヘッド装置の実際の使用状態での向きとは無関係である。図２は図１の磁気ヘッド装置の第１の位置（記録状態）でのＳ−Ｓ線での矢印方向から見た側面断面図であり、図３は図１の磁気ヘッド装置の第２の位置（再生状態）でのＳ−Ｓ線での矢印方向から見た側面断面図である。なお、図１０〜図１３に示した従来例と同じ機能を有する構成部品には同じ符号を付記しその詳細な説明を省略する。
【００３５】
図１〜図３において、６は支持材であり、例えばＳＵＳ３０４やＢｅＣｕなどの薄いバネ材でできている。本実施の形態において例示した支持材６は、その一端を固定部７に固定され、光磁気ディスク１の面振れに追従し、且つ全体の荷重を与える為の第１の弾性変形部である第１のバネ系１０と、第１のバネ系１０に対してカートリッジ２と干渉しないような所定角度で傾斜して第１のバネ系１０より延設され、かつ、幅方向両側に絞り出しで形成された絞りリブ１１を有することで剛体をなす中継部９と、中継部９に対して所定の角度をなして中継部９から延設され、光磁気ディスク１の面振れ、表面形状に追従するための第２の弾性変形部である第２のバネ系８とを有する。
【００３６】
固定部７は、例えば鉄、ステンレスなどの金属板からなる。固定部７は、支持材６の一端を固定すると共に、光磁気ディスク１を挟んで磁気ヘッド４と対峙して配される光学ヘッド（図示せず）と磁気ヘッド４とを締結する締結部材１９にシャフト１８を介してＹＺ面内で回動自在に取り付けられ、図示しないバネなどにより光磁気ディスク１側へ付勢されている。
【００３７】
ヘッド本体５は、図１３に示すように、フェライト等の軟磁性体からなるＥ型の磁気コア１３の中心磁極に、巻回したコイル１４を装着して形成された磁気ヘッド素子１５を、Ｅ型の磁気コア１３の解放端を光磁気ディスク１と対向させて、摺動性の良い樹脂、例えばポリフェニレンサルファイド、液晶ポリマーなどでてきた摺動体１６に一体に取り付けて形成される。
【００３８】
１７は摺動部であり、摺動体１６の光磁気ディスク１と対向する面に一体に形成されている。摺動部１７は、その断面を円弧状とすることで、光磁気ディスク１と常に点接触してなめらかに接触摺動を行う。
【００３９】
３はヘッド本体５に変調信号を伝送するための配線が施されたフレキシブルプリント基板であり、その一端がヘッド本体５に接着され、他端が固定部７に接着されている。そして、フレキシブルプリント基板３の一端にはコイル１４の引き出し線の両端が半田付けされ、他端は図示しない磁気ヘッドの駆動回路へ接続される。
【００４０】
ヘッド本体５は、片持ち支持構造の支持材６の揺動端（自由端）側に、融着または接着によって固定され、又は樹脂一体成形によって一体に形成される。また、支持材６の固定部７側の端部（固定端）は固定部７にレーザスポット溶接などで固定される。
【００４１】
２０はリフトメカであり、例えばステンレス、鉄、樹脂などで構成され、カートリッジ２を保持するホルダ２３に設けられた昇降回動軸２６の回りにＹＺ面内で回動自在に取り付けられている。リフトメカ２０は、昇降回動軸２６よりもヘッド本体５側の位置で且つ磁気ヘッド４とカートリッジ２との間に第１の昇降部２１を有し、第１の昇降部２１と昇降回動軸２６との間の位置で且つ磁気ヘッド４に対してカートリッジ２とは反対側に第２の昇降部２２を有している。第１の昇降部２１及び第２の昇降部２２はいずれもＸ軸に沿って延びている。
【００４２】
２４はスライド部材であり、例えばステンレス、鉄、樹脂などで構成され、ホルダ２３に対してＹ軸方向にスライド移動可能に取り付けられ、モータ、ギヤなどで構成された昇降駆動部２５によってスライド移動する。
【００４３】
スライド部材２４の一部に、Ｚ軸方向の高さが変化したＹ軸方向に沿った傾斜面２４ａが形成されている。リフトメカ２０には、図示しないバネなどの弾性部材により、その下面がスライド部材２４の傾斜面２４ａを押圧するように付勢力が与えられている。かくして、スライド部材２４の傾斜面２４ａとリフトメカ２０とが当接する部分にはカム機構が形成される。スライド部材２４が図１の矢印ａ方向へ移動すると、傾斜面２４ａがリフトメカ２０を持ち上げ、リフトメカ２０は、第１の昇降部２１がカートリッジ２から離間する方向に回動する。また、スライド部材２４が図１の矢印ｂ方向へ移動すると、バネなどの弾性部材の付勢力がリフトメカ２０を傾斜面２４ａの高さの変化に応じて変位させ、リフトメカ２０は、第１の昇降部２１がカートリッジ２に近づく方向に回動する。このとき第２の昇降部２２は、第１の昇降部２１と同方向に移動するが、昇降回動軸２６に近い位置に配されているため、その移動量は第１の昇降部２１の移動量に比べて極めて小さい。
【００４４】
ヘッド本体５の第１の位置（記録位置）では、図２に示すように、リフトメカ２０は支持材６に当接しておらず、磁気ヘッド４との間に隙間を有している。
【００４５】
ヘッド本体５の第１の位置において、カートリッジ２の上面からＺ軸方向に最も突出している部分は固定部７であり、このときの磁気ヘッド４の高さは、カートリッジ２の上面から固定部７の上面までの高さＨ３で規定される。
【００４６】
次に、ヘッド本体５の第１の位置から第２の位置（再生位置）への移動は以下のように行われる。図３に示すように、スライド部材２４の移動によりリフトメカ２０が昇降回動軸２６を中心に回動し、第１の昇降部２１が磁気ヘッド４の中継部９の下面（光磁気ディスク１側の面）と当接し、支持材６及びヘッド本体５を光磁気ディスク１から離間させる。このとき、ヘッド本体５の光磁気ディスク１から離間する際の回動中心は、第１のバネ系１０の固定部７側の端部（Ｐ１）である。更にリフトメカ２０が回動すると、第２の昇降部２２に第１のバネ系１０の上面（光磁気ディスク１とは反対側の面）が当接する。更にリフトメカ２０が回動すると、第２の昇降部２２は第１の昇降部２１に比べて移動量が極めて小さいために、第２の昇降部２２により第１のバネ系１０の上昇量が抑えられながら、第１の昇降部２１により中継部９が上昇する。このように、第２の昇降部２２が第１のバネ系１０の上面に当接した後は、リフトメカ２０の回動により第１のバネ系１０がこの当接位置で弾性変形する。即ち、ヘッド本体５の光磁気ディスク１から離間する際の回動中心が、第１のバネ系１０の固定部７側の端部（Ｐ１）から、前記当接位置、即ち第１のバネ系１０の長手方向中間部付近（Ｐ２）に移動する。そして、ヘッド本体５はカートリッジ２との間に隙間Ｈ２が確保される第２の位置にまで上昇され、磁気ヘッド４が保持される。
【００４７】
このように、本実施の形態では、ヘッド本体５を昇降させる際のヘッド本体５の回動中心位置が、従来に比べてヘッド本体５側の位置Ｐ２に移動する。第１のバネ系１０と中継部９とは、光磁気ディスク１とは反対側に凸となるような角度で接続されているから、この接続部分に近い位置Ｐ２に回動中心位置を移動させることにより、第２の位置でカートリッジ２とヘッド本体５との隙間Ｈ２を確保するために必要な第１の昇降部２１の高さＨ４を小さくすることができる。その結果、第２の位置での磁気ヘッド４の最も高い部分（本例では、第１のバネ系１０と中継部９との屈曲した接続部）のカートリッジ２上面からの高さＨ１を小さくすることができ、光磁気記録再生装置を薄型にできる。
【００４８】
なお、本実施の形態では第１の昇降部２１と第２の昇降部２２とが単一の部品であるリフトメカ２０に備えられ、これらが一体に移動する構成を示したが、本発明はこれに限定されず、例えば第１の昇降部２１と第２の昇降部２２とを別部品として配置し、それぞれを駆動するカム機構を独立して設けても同様な効果が得られる。
【００４９】
また、本実施の形態では磁気ヘッド４の支持材６が第１のバネ系１０と中継部９と第２のバネ系８とを有する例を示したが、本発明はこれに限定されず、例えば支持材６が第１のバネ系と中継部とで構成され、前記中継部の先端にヘッド本体５が固定されている磁気ヘッドにおいても同様な効果が得られる事は言うまでもない。
【００５０】
さらに、第２の昇降部２２の第１のバネ系１０との当接部は、第１のバネ系１０側へ突出した凸曲面を具備することが望ましい。かかる望ましい構成では、ヘッド本体５が第２の位置にある状態で磁気ヘッド４が光磁気ディスク１の半径方向（Ｘ方向）にアクセス移動する際の摩擦力が低減する。
【００５１】
以上のように、本発明の実施の形態１の磁気ヘッド装置によれば、支持材６に対して光磁気ディスク１側に配された第１の昇降部２１と、支持材６に対して光磁気ディスク１とは反対側であって、且つ第１の昇降部２１よりも固定部７側に配された第２の昇降部２２とを具備するリフトメカ２０を備え、第１の昇降部２１が支持材６の中継部９の光磁気ディスク１側の面に当接して、ヘッド本体５を第１の位置から第２の位置に変位させる過程において、第２の昇降部２２が支持材６の第１のバネ系１０の光磁気ディスク１とは反対側の面に当接し、第２の位置において第１のバネ系１０が第２の昇降部２２との当接部近傍で弾性変形するので、第２の位置においてヘッド本体５とカートリッジ２との間に従来と同様の隙間Ｈ２を確保しても、第１の昇降部２１のカートリッジ２からの高さＨ４を従来よりも小さくすることができる。その結果、ヘッド本体５が第２の位置にあるときに、カートリッジ２からの磁気ヘッド４の最遠部の高さＨ１を従来より低くでき、光磁気記録再生装置をより薄型にできる。
【００５２】
（実施の形態２）
以下、図４〜図６を用いて本発明の実施の形態２に係る磁気ヘッド装置について説明する。図４は本発明の実施の形態２における磁気ヘッド装置の平面図であり、図５は図４の磁気ヘッド装置の第１の位置でのＳ−Ｓ線での矢印方向から見た側面断面図であり、図６は図４の磁気ヘッド装置の第２の位置でのＳ−Ｓ線での矢印方向から見た側面断面図である。図１〜図３に示した実施の形態１と同じ機能を有する構成部品には同じ符号を付記しその詳細な説明を省略する。
【００５３】
３０はリフトメカであり、実施の形態１と同様に、第１の昇降部３１と第２の昇降部３２とを有し、昇降回動軸３６の回りにＹＺ面内で回動自在に取り付けられている。
【００５４】
本実施の形態２の磁気ヘッド装置が実施の形態１のものと異なっているのは、第２の昇降部３２がリフトメカ３０の昇降回動軸３６よりも固定部７側に配されている点である。
【００５５】
ヘッド本体５の第１の位置では、第１の昇降部３１及び第２の昇降部３２は共に支持材６と接触していない。
【００５６】
ヘッド本体５の第１の位置から第２の位置への移動は以下のように行われる。実施の形態１と同様にスライド部材２４の移動により、リフトメカ３０が昇降回動軸３６を中心に回動し、第１の昇降部３１が光磁気ディスク１から離間する方向に移動（上昇）し、中継部９の下面（光磁気ディスク１側の面）と当接し、支持材６及びヘッド本体５を光磁気ディスク１から離間させる。一方、第２の昇降部３２は光磁気ディスク１に接近する方向に移動（下降）し、第１のバネ系１０の上面（光磁気ディスク１とは反対側の面）に当接する。更にリフトメカ３０が回動すると、第１の昇降部３１が中継部９及びヘッド本体５を上昇させ、第２の昇降部３２は第１のバネ系１０との当接位置を下降させる。その結果、第１のバネ系１０は、第２の昇降部３２との当接位置で、実施の形態１の場合に比べてより積極的に弾性変形せしめられる。本実施の形態においても、ヘッド本体５の光磁気ディスク１から離間する際の回動中心が、第１のバネ系１０の固定部７側の端部（Ｐ１）から、前記当接位置、即ち第１のバネ系１０の長手方向中間部付近（Ｐ２）に移動する。そして、ヘッド本体５はカートリッジ２との間に隙間Ｈ２が確保される第２の位置にまで上昇され、磁気ヘッド４が保持される。
【００５７】
第２の位置で第２の昇降部３２がカートリッジ２に近づくので、第１の位置から第２の位置への移動における支持材６の回動中心Ｐ２がカートリッジ２に接近し、上記隙間Ｈ２を確保するために必要な第１の昇降部３１の高さＨ４をより小さくできる。その結果、第２の位置での磁気ヘッド４の最も高い部分（本例では、支持材６の自由端側端部又はヘッド本体５の上面）のカートリッジ２上面からの高さＨ１をより小さくすることができ、光磁気記録再生装置をより薄型にできる。
【００５８】
以上のように、実施の形態２の磁気ヘッド装置によれば、第２の昇降部３２をリフトメカ３０の昇降回動軸３６よりも固定部７側に配したことにより、ヘッド本体５の第１の位置から第２の位置への移動における支持材６の回動中心Ｐ２を低くできるので、第２の位置での磁気ヘッド４の最も高い部分のカートリッジ２上面からの高さＨ１を実施の形態１よりも小さくすることができる。更に、高さＨ１を小さくできる結果、これに対応して固定部７の高さＨ３を実施の形態１よりも低くすることができる。その結果、光磁気記録再生装置をさらに薄型にできる。
【００５９】
（実施の形態３）
以下、図７〜図９を用いて本発明の実施の形態３に係る磁気ヘッド装置について説明する。図７は本発明の実施の形態３における磁気ヘッド装置の平面図であり、図８は図７の磁気ヘッド装置の第１の位置でのＳ−Ｓ線での矢印方向から見た側面断面図であり、図９は図７の磁気ヘッド装置の第２の位置でのＳ−Ｓ線での矢印方向から見た側面断面図である。図４〜図６に示した実施の形態２と同じ機能を有する構成部品には同じ符号を付記しその詳細な説明を省略する。
【００６０】
４０はリフトメカであり、実施の形態２と同様に、第１の昇降部４１と第２の昇降部４２とを有し、昇降回動軸４６の回りにＹＺ面内で回動自在に取り付けられている。４４はスライド部材であり、実施の形態２と同様に、ホルダ２３に対してＹ軸方向にスライド移動可能に取り付けられ、昇降駆動部２５によってスライド移動する。４７は、Ｚ軸方向の高さが変化したＹ軸方向に沿った傾斜面であり、ホルダ２３に固定されている。リフトメカ４０には、図示しないバネなどの弾性部材により、その下面が傾斜面４７を押圧するように付勢力が与えられている。かくして、傾斜面４７とリフトメカ４０とが当接する部分にはカム機構が形成される。
【００６１】
実施の形態３の磁気ヘッド装置が実施の形態２のものと異なっている点は以下の通りである。第１に、昇降回動軸４６がスライド部材４４に設置されており、スライド部材４４がＹ軸方向に移動すると、昇降回動軸４６と、第１の昇降部４１及び第２の昇降部４２を含むリフトメカ４０とがスライド部材４４とともにＹ軸方向に移動する。第２に、スライド部材４４がＹ軸方向に移動しても、傾斜面４７はホルダ２３に固定されているので不動である。
【００６２】
ヘッド本体５の第１の位置から第２の位置への移動は以下のように行われる。スライド部材４４が昇降駆動部２５によって図７の矢印ａ方向へ移動すると、スライド部材４４に昇降回動軸４６を介して回動自在に取り付けられたリフトメカ４０も、矢印ａ方向へ移動する。リフトメカ４０の下面はホルダ２３に固定された傾斜面４７と当接しているから、リフトメカ４０の矢印ａ方向への移動により、傾斜面４７はリフトメカ４０を持ち上げる。その結果、リフトメカ４０は昇降回動軸４６の回りに回動する。従って、第１の昇降部４１は、Ｚ軸方向には光磁気ディスク１から離間する方向へ移動すると共に、Ｙ軸方向にはヘッド本体５の方向へ移動して、中継部９の下面（光磁気ディスク１側の面）と当接し、支持材６及びヘッド本体５を光磁気ディスク１から離間させる。一方、第２の昇降部４２は、Ｚ軸方向には光磁気ディスク１に近づく方向へ移動すると共に、Ｙ軸方向には中継部９の方向へ移動して、第１のバネ系１０の上面（光磁気ディスク１とは反対側の面）に当接し、第１のバネ系１０を弾性変形させる。本実施の形態においても、第２の昇降部４２と第１のバネ系１０との当接位置Ｐ２を回動中心としてヘッド本体５が光磁気ディスク１から離間するが、ヘッド本体５が上昇するに従って該回動中心位置（当接位置）Ｐ２が中継部９側に移動する。第１のバネ系１０と中継部９とは、光磁気ディスク１とは反対側に凸となるような角度で接続されているから、回動中心位置Ｐ２を第１のバネ系１０と中継部９との接続部分により近い位置に移動させることにより、第２の位置でカートリッジ２とヘッド本体５との隙間Ｈ２を確保するために必要な第１の昇降部４１の高さＨ４を実施の形態２よりも更に小さくすることができる。その結果、第２の位置での磁気ヘッド４の最も高い部分（本例では、支持材６の自由端側端部又はヘッド本体５の上面）のカートリッジ２上面からの高さＨ１を更に小さくすることができ、光磁気記録再生装置を更に薄型にできる。
【００６３】
以上のように、実施の形態３の磁気ヘッド装置によれば、ヘッド本体５を第１の位置から第２の位置へ移動させる際に、リフトメカの昇降回動軸をヘッド本体５側に移動させる機構を実施の形態２に付加したことにより、第２の位置での磁気ヘッド４の最も高い部分のカートリッジ２上面からの高さＨ１を実施の形態２よりも小さくすることができる。その結果、光磁気記録再生装置をさらに薄型にできる。
【００６４】
なお、本実施の形態では、ヘッド本体５を第１の位置から第２の位置へ移動させる際に、第１の昇降部と第２の昇降部とがともに磁気ヘッド４の自由端側に移動する構成を示したが、本発明はこれに限定されず、第１の昇降部と第２の昇降部とがともに磁気ヘッド４の固定端側に移動する構成であっても良い。あるいは、第１の昇降部と第２の昇降部とを別部品として、両者が相互に接近する方向又は相互に離間する方向に移動する構成であっても良い。
【００６５】
また、本実施の形態では、実施の形態２にリフトメカの昇降回動軸をＹ軸方向に移動させる機構を付与した構成を示したが、本発明はこれに限定されず、例えば実施の形態１にリフトメカの昇降回動軸をＹ軸方向に移動させる機構を付与しても良い。この場合でも、実施の形態１に比べて、第２の位置での磁気ヘッド４の高さＨ１を実施の形態１よりも小さくすることができる。
【００６６】
また、本実施の形態では、ヘッド本体５が第１の位置から第２の位置へ移動する際に、第１の昇降部４１及び第２の昇降部４２がＹ軸方向及びＺ軸方向に移動する構成を示したが、本発明はこれに限定されない。例えば、第１の昇降部４１がそのＺ軸方向位置（即ち、高さ）を変えることなく、Ｙ軸に沿ってヘッド本体５の方向へ移動させても良い。これにより、第１の昇降部４１が中継部９の下面と当接し、支持材６及びヘッド本体５を光磁気ディスク１から離間させることができる。このとき、ヘッド本体５が第２の位置に至る過程で、第１のバネ系１０の上面が第２の昇降部４２に当接する。その後は、第２の昇降部４２と第１のバネ系１０との当接位置Ｐ２を回動中心としてヘッド本体５が光磁気ディスク１から離間する。その結果、第２の位置での磁気ヘッド４の最も高い部分のカートリッジ２上面からの高さＨ１を更に小さくすることができ、光磁気記録再生装置を薄型にできる。この場合において、第１の昇降部４１がＹ軸に沿ってヘッド本体５の方向へ移動する際に、第２の昇降部４２は不動であっても良いが、Ｙ軸方向に移動（好ましくは、固定端側に移動）してもよく、また、Ｚ軸方向にも移動（好ましくは、光磁気ディスク１に近づく方向に移動）しても良い。
【００６７】
上記の実施の形態１〜３では、光磁気記録方式の情報記録媒体に対応した磁気ヘッド装置を例に説明したが、本発明の磁気ヘッド装置はこれに限定されず、例えば、磁気記録方式の情報記録媒体に対応した磁気ヘッド装置に適用することもできる。この場合には、ヘッド本体が第１の位置にある状態で記録及び再生が行われる。
【００６８】
以上に説明した実施の形態は、いずれもあくまでも本発明の技術的内容を明らかにする意図のものであって、本発明はこのような具体例にのみ限定して解釈されるものではなく、その発明の精神と請求の範囲に記載する範囲内でいろいろと変更して実施することができ、本発明を広義に解釈すべきである。
【図面の簡単な説明】
【００６９】
【図１】図１は、本発明の実施の形態１の磁気ヘッド装置の平面図である。
【図２】図２は、本発明の実施の形態１の磁気ヘッド装置において、ヘッド本体が第１の位置にあるときの図１のＳ−Ｓ線での矢印方向から見た側面断面図である。
【図３】図３は、本発明の実施の形態１の磁気ヘッド装置において、ヘッド本体が第２の位置にあるときの図１のＳ−Ｓ線での矢印方向から見た側面断面図である。
【図４】図４は、本発明の実施の形態２の磁気ヘッド装置の平面図である。
【図５】図５は、本発明の実施の形態２の磁気ヘッド装置において、ヘッド本体が第１の位置にあるときの図４のＳ−Ｓ線での矢印方向から見た側面断面図である。
【図６】図６は、本発明の実施の形態２の磁気ヘッド装置において、ヘッド本体が第２の位置にあるときの図４のＳ−Ｓ線での矢印方向から見た側面断面図である。
【図７】図７は、本発明の実施の形態３の磁気ヘッド装置の平面図である。
【図８】図８は、本発明の実施の形態３の磁気ヘッド装置において、ヘッド本体が第１の位置にあるときの図７のＳ−Ｓ線での矢印方向から見た側面断面図である。
【図９】図９は、本発明の実施の形態３の磁気ヘッド装置において、ヘッド本体が第２の位置にあるときの図７のＳ−Ｓ線での矢印方向から見た側面断面図である。
【図１０】図１０は、従来の磁気ヘッド装置の平面図である。
【図１１】図１１は、従来の磁気ヘッド装置において、ヘッド本体が第１の位置にあるときの図１０のＳ−Ｓ線での矢印方向から見た側面断面図である。
【図１２】図１２は、従来の磁気ヘッド装置において、ヘッド本体が第２の位置にあるときの図１０のＳ−Ｓ線での矢印方向から見た側面断面図である。
【図１３】図１３は、従来の磁気ヘッド装置のヘッド本体の側面断面図である。
【国際調査報告】
2003060901.tif 000016
2003060901.tif 000017
2003060901.tif 000018
2003060901.tif 000019